(57)【要約】【課題】テキスト文書原稿とカラー写真原稿とを、ｎイン１カラーコピーする場合、特に、２イン１カラーコピーする場合に、インクが無駄にならず、記録動作時間がより短くなる記録装置および記録装置の制御方法を提供することを目的とする。【解決手段】被複製画像の複製記録動作において、白黒画像記録動作と多色画像記録動作とを切り替える動作切り替え手段と、上記被複製画像を複数読み取り、単一画像に合成し、複製記録する手段と、上記記録動作の切り替えの指示と、記録動作に関する各種設定とを行う入力手段と、上記入力手段を介して入力された情報を検出する検出手段とを有する。そして、本発明は、上記検出手段が検出した結果に応じて、記録データを格納するＲＡＭ領域を、切り替える格納領域切り替え手段とを有する。【選択図】図３
2008093998.tif 000002
【特許請求の範囲】
【請求項１】
原稿台に載せられている被複製画像を読み取り、記録データに変換し、上記記録データを受信し、被記録媒体に記録ヘッドを走査して記録する記録装置において、
上記被複製画像の複製記録動作において、白黒画像記録動作と多色画像記録動作とを切り替える動作切り替え手段と；
上記被複製画像を複数読み取り、単一記録用紙に合成し、複製記録する手段と；
上記記録動作の切り替えの指示と、記録動作に関する各種設定とを行う入力手段と；
上記入力手段を介して入力された情報を検出する検出手段と；
上記検出手段が検出した結果に応じて、記録データを格納するＲＡＭ領域を、切り替える格納領域切り替え手段と；
を有することを特徴とする記録装置。
【請求項２】
請求項１において、
記録データを格納するＲＡＭ領域の切り替えは、ユーザによる入力に基づいて、実行されることを特徴とする記録装置。
【請求項３】
請求項２において、
記録データを格納するＲＡＭ領域は、インクの種類、材料ごとに分別されることを特徴とする記録装置。
【請求項４】
原稿台に載せられている被複製画像を読み取り、記録データに変換し、上記記録データを受信し、被記録媒体に記録ヘッドを走査して記録する記録装置の制御方法において、
上記被複製画像の複製記録動作において、白黒画像記録動作と多色画像記録動作とを切り替える動作切り替え工程と；
上記被複製画像を複数読み取り、単一記録用紙に合成し、複製記録する工程と；
上記記録動作の切り替えの指示と、記録動作に関する各種設定とをユーザが入力すると、上記入力された情報を検出する検出工程と；
上記検出工程で検出した結果に応じて、記録データを格納するＲＡＭ領域を、切り替える格納領域切り替え工程と；
を有することを特徴とする記録装置の制御方法。
【発明の詳細な説明】
【技術分野】
【０００１】
本発明は、記録装置および記録装置の制御方法に関するものである。
【背景技術】
【０００２】
パーソナルコンピュータ、デジタルカメラ、イメージスキャナ等の高機能、低価格化に伴い、デジタル画像を媒体に記録するプリンタ等、記録装置の高精細化が進んでいる。
【０００３】
シリアルスキャン型のインクジェット記録装置は、記録媒体の搬送方向と垂直な方向に往復移動されるキャリッジに、記録ヘッドを搭載し、記録媒体の所定ピッチごとの搬送と、キャリッジの往復移動とを交互に繰り返しながら、記録媒体に画像記録する。
【０００４】
より高速で高精細に画像を記録するために、媒体給紙部、キャリッジ往復動作部、媒体搬送部、回復動作部、媒体排紙部等、各可動部分のそれぞれにモータが１つずつ設けられている製品が実用化されている。さらに、モノクロ画像用途に対し、染料インクと顔料インクとを同時に搭載し、画像の種類や記録方法に応じて、最適なインクを使い分ける機構も備えている。
【０００５】
たとえば、黒色インクについて言えば、写真等の高精細データ用として、発色性、小液滴化が優れている染料インクを使う。一方、テキスト文書等の印刷用として、液滴は多少大きいが、耐水性が優れ、濃度が高く、くっきりとした画像を得ることができる顔料インクを使う。
【０００６】
印字ヘッドに設けられている顔料黒インク吐出ノズルは、染料黒インク吐出ノズルと比較すると、ピッチを広くとり、ノズル列を長くすることによって、１スキャンで印刷される画像量を増やし、１パス双方向印刷等、高速印刷で対応する。
【０００７】
さらに、使用頻度を考慮し、顔料黒インクは、容量を多く搭載する等、工夫されている。インクを使い分ける処理は、印刷する際に、ホストコンピュータに設置されているプリンタドライバソフトウェアを介して、画像に最適な方法を自動的に判断し、印刷処理される。ユーザが同ソフトウェア上で、記録用紙の種類（普通紙、光沢紙、写真用紙等）、画像の精細度や動作時間（きれい、標準、はやい、ドラフト等、）を設定することによっても、処理方法を任意に変更することができる。
【０００８】
また、近年は、デジタルカメラやメモリカードを接続し、保存された画像を直接印刷できるものが知られている。フラットベットスキャナを搭載し、装置単体でコピーや画像を読み取り、画像データとして保存できるものも知られている。また、電話回線に接続し、ＦＡＸとして使用可能な機能を有するものも知られている。
【０００９】
原稿を読み取る場合、モノクロ、グレースケール、カラーの各モードがあり、読み取りモードや読み取り解像度を任意に変更し、所望の画像データを得ることができる。これらは、いわゆる複合機と呼ばれ、インクジェット方式の記録装置をベースにした製品が普及している。
【００１０】
インクジェット方式複合機において、コピー機能を使用する際に、機器に設けられている操作パネル等のコピーボタンを押せば、原稿台に載せられている画像を読み取り、記録動作を行う。インクジェット方式記録装置において、多色印刷のメリットを生かし、コピーボタンには、「モノクロ」、「カラー」の２種類のボタンが設けられ、それぞれ黒色印刷、多色印刷を行うモードを選択することができる。
【００１１】
ここで、コピー機能の１つに、ｎイン１コピーと呼ばれる機能が知られている（たとえば、特許文献１参照）。この「ｎイン１コピー」は、ｎ個の原稿を順に読み取り、１つの原稿にまとめて印刷する機能である。２枚の原稿を１枚にまとめる２イン１コピーを例に挙げる。まず、原稿台に１枚目の原稿をセットし、操作パネルから設定項目を選択し、２イン１コピーモードに設定し、用紙の種類、部数、画像品質等を設定した後に、「モノクロ」または「カラー」ボタンを押すと、原稿の読み取りを始める。読み取りが終わると、２枚目の原稿をセットすることが指示されるので、２枚目の原稿をセットした後に、ＯＫボタン等の確認ボタンを押し、指示を了承する。２枚目の原稿の読み取りが終了すると、内部メモリに保存されている画像データを紙面上下に合成し、１枚の用紙に記録動作が行われる。
【００１２】
また、カラーまたはモノクロの画像形成を選択するための設定キーを設け、複数の種類の記録媒体においてそれぞれ独立にカラーコピー，モノクロコピーを設定可能とする構成が知られている（たとえば、特許文献２参照）。
【特許文献１】特開平６−１１３０５０号公報
【特許文献２】特開２００１−１６６６４０号公報
【発明の開示】
【発明が解決しようとする課題】
【００１３】
しかし、モノクロコピーまたはカラーコピーのどちらかを決定する「モノクロ」ボタン、「カラー」ボタンは、最初の原稿読み取り時にのみ押下され、それ以降は、次の原稿をセットし、確認ボタンを押すことのみを実行する。
【００１４】
ここで、たとえば、１枚目がテキスト文書中心の原稿であり、２枚目がカラー写真混合画像の原稿であり、これらの原稿を使って、２イン１カラーコピーを普通紙に行うことを、ユーザが考えたとする。この場合、テキスト文書の部分を、耐水性のある黒文字を使用し、写真の部分を、高精細カラーで印刷することを希望したとする。設定については、用紙として『普通紙』を使用し、画像品質として『きれい』を選択し、「カラー」ボタンでコピーを開始する。
【００１５】
この場合、合成した画像は、テキスト部分もカラー画像データで読み取り、カラー写真部分と同じ画像記録動作を行う。上記黒インクの例を再び挙げると、テキスト部分を染料黒インクで多パス印刷するので、記録動作に時間がかかるばかりか、インクの消費量が多い。テキスト文書用にせっかく用意された多ノズルの顔料黒インクを使わない記録動作方法になるという問題がある。
【００１６】
すなわち、上記従来例では、モノクロテキスト画像とカラー写真画像とを合成するｎイン１コピー時に、特に、２イン１カラーコピー時に、モノクロ画像をカラー画像として読み取り、インクの消費量が増加し、また、記録時間が増加するという問題がある。
【００１７】
本発明は、テキスト文書原稿とカラー写真原稿とを、ｎイン１カラーコピーする場合、特に、２イン１カラーコピーする場合に、インクが無駄にならず、記録動作時間がより短くなる記録装置および記録装置の制御方法を提供することができる。
【課題を解決するための手段】
【００１８】
本発明は、原稿台に載せられている被複製画像を読み取り、記録データに変換し、上記記録データを受信し、被記録媒体に記録ヘッドを走査して記録する記録装置である。本発明は、上記被複製画像の複製記録動作において、白黒画像記録動作と多色画像記録動作とを切り替える動作切り替え手段と、上記被複製画像を複数読み取り、単一記録用紙に合成し、複製記録する手段とを有する。さらに、本発明は、上記記録動作の切り替えの指示と、記録動作に関する各種設定とを行う入力手段と、上記入力手段を介して入力された情報を検出する検出手段とを有する。そして、本発明は、上記検出手段が検出した結果に応じて、記録データを格納するＲＡＭ領域を、切り替える格納領域切り替え手段を有する。
【発明の効果】
【００１９】
本発明によれば、コピー動作におけるユーザ介入モードを設置するので、テキスト文書部分について、顔料黒インクによる高速記録を行い、写真部分について、染料インクによる高画質記録を行うことができるという効果を奏する。
【発明を実施するための最良の形態】
【００２０】
発明を実施するための最良の形態は、次の実施例である。
【実施例１】
【００２１】
図１は、本発明の実施例１である記録装置１００の構成例を中心に示すブロック図である。
【００２２】
実施例１では、記録装置の一例として、シリアルスキャン型のインクジェット記録装置１００を挙げる。
【００２３】
記録装置１００は、ＣＰＵ１と、ＲＯＭ２と、ＲＡＭ３と、インタフェース４と、スキャナ部５と、操作パネル６と、制御部３０とを有する。また、記録装置１００は、記録ヘッド２１と、キャリッジモータ２２と、搬送モータ２３と、給送モータ２４と、メンテナンスモータ２５と、排送モータ２６と、スキャナモータ２７とを有する。
【００２４】
ＲＯＭ２は、ＣＰＵ１が実行する制御プログラムおよびその他のテーブルデータ等を格納する。
【００２５】
ＲＡＭ３は、インタフェース４を介して、ホストコンピュータ２００やデジタルカメラ３００から受信したデータを格納する受信バッファである。ＲＡＭ３は、プリントデータ生成回路３４が生成したプリントデータを格納するプリントバッファ４０等の領域として用いられる。
【００２６】
操作パネル６は、ユーザのキー入力を受ける。
【００２７】
制御部３０は、ＡＳＩＣ形態の制御部であり、ＣＰＵとともに記録装置の動作を制御する。制御部３０は、インタフェース（Ｉ／Ｆ）制御回路３１と、読み取り制御回路３２と、データ制御回路３３と、プリントデータ生成回路３４と、キー入力制御回路３５と、ヘッド制御回路３６と、ヘッド制御回路３６とを有する。
【００２８】
インタフェース（Ｉ／Ｆ）制御回路３１は、インタフェース４を介して、ホストコンピュータ２００やデジタルカメラ３００との間で、データを送受信する。原稿読み取り制御回路３２は、原稿を読み取るスキャナ部５と、読み取りに必要なスキャナとの動作を制御する。
【００２９】
データ制御回路３３は、ＲＡＭ３の受信バッファとプリントバッファ４０とに対して、データのリード／ライト制御を行う。プリントデータ生成回路３４は、プリントデータを生成する。キー入力制御回路３５は、キー入力に対して適切な動作をＣＰＵに命令する。
【００３０】
ヘッド制御回路３６は、生成されたプリントデータの記録ヘッド２１へのデータ転送や記録ヘッドのインクを吐出制御する。
【００３１】
駆動制御回路２０は、モータの駆動を制御する。駆動制御回路２０は、キャリッジモータ（ＤＣモータ）２２と、搬送モータ（ＤＣモータ）２３と、給送モータ（ステッピングモータ）２４と、メンテナンスモータ（ステッピングモータ）２５とを駆動制御する。また、駆動制御回路２０は、排送モータ（ＤＣモータ）２６と、スキャナモータ（ステッピングモータ）２７とを駆動制御する。
【００３２】
キャリッジモータ２２は、記録ヘッド２１を搭載したキャリッジを走査させる。搬送モータ（ＤＣモータ）２３は、被記録媒体（たとえば記録用紙）を搬送する。給送モータ２４は、被記録媒体を給紙する。メンテナンスモータ２５は、記録ヘッドのクリーニング等を行う。排送モータ（ＤＣモータ）２６は、被記録媒体の排紙を行う。スキャナモータ２７は、スキャナ部５の読み取りヘッドを走査させる。
【００３３】
次に、記録装置１００におけるプリント動作について説明する。
【００３４】
記録装置１００が、インタフェース４を介して、ホストコンピュータ２００から画像データ等を受信すると、インタフェース制御回路３１を介して、データ制御回路３３がＲＡＭ３に割り当てた受信バッファに、受信データが一旦格納される。
【００３５】
受信バッファに格納された受信データは、コマンド解析され、このコマンド解析された画像データは、プリントデータ生成回路３４がプリントデータ処理を実行してから、ＲＡＭ３に割り当てられたプリントバッファ４０に格納される。
【００３６】
図２は、コピー動作ユーザ介入モード付きの記録装置１００におけるプリントバッファ４０の説明図である。
【００３７】
プリントバッファ４０は、顔料黒インクのプリントデータ領域４１と、染料シアンインクのプリントデータ領域４２と、染料マゼンタインクのプリントデータ領域４３とを有する。また、プリントバッファ４０は、染料イエローインクのプリントデータ領域４４と、染料黒インクのプリントデータ領域４５とを有する。
【００３８】
プリントバッファ４０に必要量のデータが蓄えられると、ヘッド制御回路３６によって所定のタイミングで、プリントバッファ４０からプリントデータが読み出され、記録ヘッド２１に転送される。
【００３９】
そして、記録ヘッドが被記録媒体に対して走査（移動）しながら、ヘッド制御回路３６によって、記録ヘッド２１に駆動パルスが与えられることによって、記録ヘッドからプリントデータに応じて、インクが吐出され、被記録媒体に画像が形成される。
【００４０】
このように、駆動制御回路２０が、キャリッジモータ２２と、給送モータ２４と、搬送モータ２３と、排送モータ２６とを駆動することによって、記録ヘッド２１の走査と、被記録媒体の給紙、搬送、排紙の各動作とが行われる。
【００４１】
なお、デジタルカメラ３００からのデータ受信においても、プリントデータ生成回路３４が２値化処理等の画像処理をした後に、プリントデータを生成し、上記と同様の処理によって印刷される。
【００４２】
また、コピー動作する場合、操作パネル６から、図示しない液晶表示器等を見てユーザがキーを操作し、コピー部数、濃度、拡大縮小率、ｎイン１コピー等の機能設定を決定する。この結果は、キー入力制御回路３５を介して、ＣＰＵ１が制御プログラムを実行する際のパラメータとして、ＲＡＭ３等に保存される。
【００４３】
スキャナ部５に、読み取りの対象となる原稿を設置し、操作パネル６に設置されているコピーボタンを押すと、駆動制御回路２０は、スキャナモータ２７を駆動し、スキャナ部の図示しないスキャナヘッドを走査させる。
【００４４】
同時に、読み取り制御回路３２は、スキャナヘッドが読み取ったアナログデータを、デジタルデータに変換し、データ制御回路３３に受け渡す。その後は、通常のプリント動作と同様に、記録動作を行う。モノクロコピーを行うときに押下する「モノクロ」ボタンと、カラーコピーを行うときに押下する「カラー」ボタンとが、操作パネル６に設けられ、ユーザが任意に選択、押下することができる。
【００４５】
２イン１コピーモード時に、さらにユーザ介入モードが設定されていると、原稿毎の印字処理方法を、「モノクロ」または「カラー」コピーボタンを押下して決定する。この場合、「モノクロ」コピーボタンをユーザが押すと、読み取り制御回路３２は、モノクロ２値データとして原稿を読み取り、データ制御回路３３は、縮小等のデータ処理を行う。この後に、プリントデータ生成回路３４は、ＲＡＭ３に設けられているプリントバッファ４０の顔料黒インクのプリントデータ領域４１に、モノクロ２値データとして読み取った原稿を格納する。
【００４６】
一方、「カラー」コピーボタンをユーザが押すと、読み取り制御回路３２は、カラー多値データとして原稿を読み取り、データ制御回路３３は、縮小等のデータ処理を行う。その後に、プリントデータ生成回路３４は、カラー多値データとして読み取ったデータを、各染料インクのデータに分解する。そして、この分解されたデータを、ＲＡＭ３に設けられているプリントバッファ領域の染料黒インク、染料マゼンタ、染料シアン、染料イエロー等の染料インク用プリントデータ領域に格納する。
【００４７】
２枚目の原稿を読み取る場合も、上記と同様に、「モノクロ」または「カラー」コピーボタンを押し、読み取らせた後に、プリントバッファ４０に格納されているデータに従って、２枚の原稿をまとめた画像を、１枚の用紙に記録する。
【００４８】
このようにして、コピー動作におけるユーザ介入モードを設置することによって、ｎイン１コピー時、特に２イン１コピー時に、テキスト文書と写真原稿とを合成コピーする場合、インク消費量の無駄を抑制し、記録動作時間を短縮することができる。つまり、テキスト文書部分を、顔料黒インクによる高速記録を行い、写真部分を、染料インクによる高画質記録を行う等、読み取る原稿の複製記録方法を、ユーザに選択させることが可能であり、インク消費量の無駄を抑制し、記録動作時間を短縮可能である。
【００４９】
次に、記録装置１００において、ユーザ介入モードにおける２イン１コピーを例とした処理について説明する。
【００５０】
図３は、記録装置１００において、ユーザ介入モードにおける２イン１コピーを例とした処理を示すフローチャートである。
【００５１】
Ｓ１で、２イン１コピーを開始し、Ｓ２で、コピー部数、縮小拡大、濃度、用紙、ユーザ介入モード有効等、各種設定を行い、Ｓ３で、画像の読み取りを開始する。Ｓ４で、ユーザ介入モードが設定されていないと判断すると、Ｓ５で、通常のコピー動作がなされる。ユーザ介入モードが設定されていると、Ｓ６で、コピーボタンが押される。
【００５２】
Ｓ７で、カラーコピーボタンが押されたと判断すると、Ｓ８で、カラーコピーボタンを検出し、Ｓ９で、カラー画像として読み取る。Ｓ１０で、画像データに変換し、染料シアン、マゼンタ、イエロー、黒の各プリントバッファ４２、４３、４４、４５に格納する。
【００５３】
Ｓ１１で、モノクロコピーボタンを検出すると、Ｓ１２で、モノクロ画像として読み取り、Ｓ１３で、画像データに変換し、顔料黒プリントバッファ４１に格納する。Ｓ１４で、２枚目の原稿を読み終わると、Ｓ１５で、プリントバッファ４１〜４５に格納されているデータを読み出し、Ｓ１６で、２枚の原稿を１枚に集約した画像を記録する。
【００５４】
上記実施例によれば、コピー動作におけるユーザ介入モードを設置するので、テキスト文書部分について、顔料黒インクによる高速記録を行い、写真部分について、染料インクによる高画質記録を行うことができる。つまり、読み取る原稿の複製記録方法を、ユーザに選択させることが可能であり、インク消費量の無駄を抑制することができ、また、記録動作時間の短縮を実現することができる。
【００５５】
なお、上記実施例１において、記録データを格納するＲＡＭ領域の切り替えは、ユーザによる入力に基づいて、実行される。また、記録データを格納するＲＡＭ領域は、インクの種類、材料ごとに分別される。
【００５６】
つまり、記録装置１００は、ホスト装置、周辺デバイスからデータを受信するインタフェースと、原稿を読み取って画像データに変換する読み取り制御手段と、受信データや読み取った画像データからプリントデータを生成するデータ処理手段とを有する。また、記録装置１００は、上記プリントデータを格納するメモリと、記録ヘッド制御および記録装置１００の駆動制御を行う記録装置制御部と、記録動作を実現するための記録ヘッドを含む記録機構と記録装置１００を駆動するための駆動手段とを有する。さらに、記録装置１００は、「モノクロ」、「カラー」コピーボタン等の外部入力キーを含むｎイン１コピー機能を実現するための操作パネルを有する。
【００５７】
詳細には、コピーモードにおいて、従来のように最初の原稿読み取り時に押下される「モノクロ」でｎイン１コピーを行う『オートモード』と、原稿の読み取り毎に、「モノクロ」または「カラー」ボタンで印刷モードを決定する『ユーザ介入モード』とを設ける。
【００５８】
原稿読み取り時に、たとえば普通紙の場合、ユーザがモノクロの文書等で耐水性のある画像または高速印字を要求しているものとみなし、強制的に原稿画像を顔料インクで記録する画像データ処理を行う。
【００５９】
具体的には、「モノクロ」ボタンが押下されると、上記プリントデータを格納するメモリの顔料黒インクが使用する領域に、プリントデータを格納し、「カラー」ボタンが押下されると、染料インクが使用する領域に、プリントデータを格納する手段を設ける。
【００６０】
ｎイン１コピー時には、ユーザ介入モードで画像出力する場合、コピーボタンで使い分ける構成にするので、インク消費量の無駄を抑制し、記録動作時間の短縮を実現できる。
【００６１】
上記実施例によれば、１、２ページ目がモノクロコピー、カラーコピーであり、これらを２イン１カラーコピーする場合、原稿内容を理解しているユーザが、操作すれば、１ページ目のモノクロデータをＣ、Ｍ、Ｙ用のメモリに格納する必要がなくなる。つまり、モノクロデータ用メモリは、Ｂｋ記録ヘッドで記録するデータに対応するので、モノクロコピーを指示した１ページ目をモノクロコピーとしてＢｋヘッド（記録素子が多いヘッド）で記録するので、全体的なスループットが向上する。
【図面の簡単な説明】
【００６２】
【図１】本発明の実施例１である記録装置１００の構成例を中心に示すブロック図である。
【図２】コピー動作ユーザ介入モード付きの記録装置１００におけるプリントバッファ４０の説明図である。
【図３】記録装置１００において、ユーザ介入モードにおける２イン１コピーを例とした処理を示すフローチャートである。
【符号の説明】
【００６３】
１００…記録装置、
５…スキャナ部、
６…操作パネル、
２０…駆動制御回路、
３０…制御部、
３２…読み取り制御回路、
３４…プリントデータ生成回路、
３５…キー入力制御回路。
【図１】
2008093998.tif 000003
【図２】
2008093998.tif 000004
【図３】
2008093998.tif 000005